(57)【要約】【課題】戸棚を製作する時に、時間も人力も大量に必要とせず、任意に体積を変えることを可能とし、スペースを取らず、使用上、非常に便利である戸棚構造を提供する。【解決手段】本考案は一種の戸棚構造であり、それは一枚以上のシート及び弧形になる連接パーツと互いに接ぐようになるものであり、それらのシート及び連接パーツの端において其々互いに合わせるようになる留め金が設けてあるために使用する時にそれらのシートと連接パーツは留め金の引き止めにより組み接ぐことができて、端が円弧状になって、且任意に取り代わるように組み合わせることができる枠を有する。【選択図】　　図３
0003097681.tif 000002
【実用新案登録請求の範囲】
【請求項１】
一種の戸棚構造であり、それは複数のシートが其々違った方向に立ったシート及び連接パーツと組み接ぐようになるものであり、其の中において、
シートの端に留め金が設けてあり、
そして連接パーツは円弧状になり、且その連接パーツの端に其々シートの留め金と合わせる留め金が設けてあり、
使用する時、留め金との引き止めによって複数のシートと連接パーツとは組み接ぐことができて、端が円弧状になって且任意に取り代わるように組み合わせることができる枠を有することを特徴とする、戸棚構造。
【請求項２】
請求項１に記載の戸棚構造において、その連接パーツに本体が設けてあり、その本体に少なくとも一本の肋材が設けてあるために使用する時に肋材の支えによって本体の強度が増加できることを特徴とする、戸棚構造。
【請求項３】
請求項２に記載の戸棚構造において、その本体に形状がそれと合わせる蓋板が設けてあることを特徴とする、戸棚構造。
【請求項４】
請求項１に記載の戸棚構造において、そのシートにある留め金は窪み溝であることを特徴とする、戸棚構造。
【請求項５】
請求項１に記載の戸棚構造において、その連接パーツにある留め金は突出する柱であることを特徴とする、戸棚構造。
【考案の詳細な説明】
【０００１】
【考案の属する技術分野】
本考案は一種の戸棚構造であり、任意に組合せを変わることができ、且物を収納するための装置に使われる戸棚構造である。
【０００２】
【従来の技術】
時代の進歩に従って、自然への尊び及び幼い時の生活への懐かしさを求める人々が多くなってきて懐古の風潮も盛んになってきた。日常生活用品もそうであるし、使用される家具もまた同じであるために５０年代の家具、テレビまたは冷蔵庫を真似て縁角を円弧状にすることは更に現在戸棚を設計する際の風潮となった。そして５０年代の復古風味の戸棚を作るために、図１に示されたように、主としてシート１１０を予め必要な寸法にカットしておいてまた貼り合わせの方式でそれらのシート１１０を互いに貼ってから模型１００で枠のように折り曲げて（高周波で加圧、加熱する方法によってその中にある糊を固化させて貼り合わせて定型させる）からその継目を接合して完成する。このようなやり方では時間もかかるし人力もたくさん要るので、全ての材料の寸法は予め計算しておかないと組み合わせ工程で組み合わせることができないという問題を起こしやすいし、また運搬する時に枠が分解できないために非常にスペースを取ることになる。
【０００３】
またもう一つの構造は、図２に示されたように主として上下のサイドボードの端縁を予め円弧状に作っておいてからホゾでサイドボードを接ぐものであるが、このような構造では製作する時、上下の縁の幅を固定にする必要があって、戸棚の高さが任意に変わることができるが、幅に制限があるために使用上、やはり非常に理想的ではない。
【０００４】
【考案が解決しようとする課題】
本考案の出願人は、従来使われてきた戸棚を製作する時に、時間も人力も大量に必要となること及びスペースを取ってしまい任意に体積を変えることもできないため、使用上実に不便であることに鑑みてそれらの問題点に対して改善を求めるように着手し始め、その欠点を補完させて合理の解決策を求めるように期していた。何回もの検討、分析及び設計を経てやっと本考案の戸棚構造を完成させた。
【０００５】
【課題を解決するための手段】
本考案の主な目的は、一種の戸棚構造を提供することにある。それはシートを其々違った方向に立たせて、それらのシートの間に其々円弧状になる連接パーツが設けてあって、且それらのシートと連接パーツに其々互いに合わせるような留め金が設けてあるために使用する時に留め金の合わせによって複数のシート及び連接パーツを接ぐことができ、物を収納して且任意に組合せを変わることのできる枠を有することを特徴とする戸棚構造である。
【０００６】
本考案のもう一つの目的は、一種の戸棚構造を提供することにある。それは連接パーツに一つの本体が設けてあり、その本体に少なくとも一つの肋材が設けてあり、且その本体に蓋板が設けてあるために使用する時に肋材の支えによって本体の強度が増加できることを特徴とする戸棚構造である。
【０００７】
【本考案の実施の形態】
本考案は、上記の目的を達成するために採用した技術手段及びその効果を、一つの実施可能な実施例において図面を参照して次のように詳しく説明する。
【０００８】
図３に示すように本考案は、一種の戸棚構造であり、それは其々違った方向に立った複数のシート１０及び連接パーツ２０を組み接ぐようになり、その中においてシート１０は所定の長さのある板であり、そしてそのシート１０の所定の位置に定位突出柱１１が設けてあり、且そのシート１０の端縁に其々一つの留め金１２が設けてあり、当実施例では一つの窪み溝（唯該当項目の技術に詳しい者はその他のパーツで取り代わることもできる）になって、そして連接パーツ２０は円弧状になっており、図５に示すようにその連接パーツ２０に一つ断面が円弧状になる本体２１が設けてあり、その本体２１に少なくとも一つの、本体２１の両サイドを接ぐ肋材２２が設けてあり、且その本体２１の端に其々シート１０の留め金１２と合わせる留め金２３が設けてあり、当実施例では突出柱（唯該当項目の技術に詳しい者はその他のパーツで取り代わることもできる）になっており、またその本体２１にそれと同じような形状になった蓋板２４が設けてある。
【０００９】
また、図３、４、５に示されたように、組み立てる時にまずシート１０を其々違った方向に置いて、当実施例では左、右、上、下になっており、そして組み立てた連接パーツ２０（図６参考）を両シート１０の間に置いて、留め金１２，２３を互いに引止めることによって、連接パーツ２０とシート１０とを枠となるように組み接ぐことができ、更に中仕切り３０をシート１０の定位突出柱１１に置いて品物を納めるために枠を複数の空間に隔てるようにできる。そうすると留め金１２の止め方によって、シート１０をニーズに従って組み方を変えることができるだけでなく、更に留め金２３との組合せによって連接パーツ２０と組み合わせることもでき、長さと幅とを共に変更できるようにでき、且分解もできるような枠になる。これにより加工が速く、運搬する時にスペースも取らない、更に端縁が円弧状となり、復古風味の持つ枠となるのである。
【００１０】
上述を纏めると本考案の戸棚構造は、実に復古風味のある、製作も便利で、運搬する時にスペースも取らない格別な効果を持つものであるため、消費者の使用する意欲を高めることもできる。このことから、本考案によって確かに従来知られた構造の欠点が改良できるし、また効果を促進する実用性も得られる。
【００１１】
本考案における戸棚構造の立体組合せ例は、本考案の戸棚構造の改良点について説明するための実施可能な実施例でしかないので該当項目の技術に詳しい人は各種の等価の変化を行なうことができるが、それらの変化例は皆本考案の精神及び範囲内に属すものである。
【図面の簡単な説明】
【図１】従来知られた装置での製作する時の動作を示すイメージ図
【図２】もう一つの従来知られた装置での立体分解のイメージ図
【図３】本考案の立体分解図
【図４】本考案の立体の組合せ図
【図５】本考案の連接パーツの立体分解図
【図６】本考案の連接パーツの立体組合せ図
【符号の説明】
１０　　　シート
１１　　　定位突出柱
１２　　　留め金
２０　　　連接パーツ
２１　　　本体
２２　　　肋材
２３　　　留め金
２４　　　蓋板
【図１】
0003097681.tif 000003
【図２】
0003097681.tif 000004
【図３】
0003097681.tif 000005
【図４】
0003097681.tif 000006
【図５】
0003097681.tif 000007
【図６】
0003097681.tif 000008